(57)【要約】 【課題】  複数の機能装置の組合せにかかる機能システムの各機能装置の電源ＯＮ遅延制御とともに各機能装置の過負荷を個別に検出する。各機能装置を個別に過負荷保護する。【解決手段】  機能装置に給電するスイッチ手段（３３１−３３５の３３ｂ），該スイッチ手段のＯＮ（導通）を指示する電源ＯＮ指示信号を遅延する遅延手段（３２）、および、前記スイッチ手段出力の過電流を検出する手段（３３ｃ−３３ｉ）を持ち前記遅延手段が遅延した電源ＯＮ指示信号に応答して前記スイッチ手段をＯＮにする電源制御手段（３３）を含み、それぞれが各機能装置に給電する複数の個別給電装置（３２，３３／１２，１３／４２，４３／５２，５３）；および、前記個別給電装置のそれぞれに、前記電源ＯＮ指示信号を与える電源投入制御手段（５６）；を備える、複数の機能装置に個別に給電する電源装置。【選択図】  図３
2006252175.tif 000002
【特許請求の範囲】
【請求項１】
機能装置に給電するスイッチ手段，該スイッチ手段のＯＮを指示する電源ＯＮ指示信号を遅延する遅延手段、および、前記スイッチ手段出力の過電流を検出する手段を持ち前記遅延手段が遅延した電源ＯＮ指示信号に応答して前記スイッチ手段をＯＮにする電源制御手段を含み、それぞれが各機能装置に給電する複数の個別給電装置；および、
前記個別給電装置のそれぞれに、前記電源ＯＮ指示信号を与える電源投入制御手段；
を備える、複数の機能装置に個別に給電する電源装置。
【請求項２】
前記遅延手段は、電源ＯＮ遅延データを保持するためのメモリ、および、前記電源ＯＮ指示信号を、該メモリの電源ＯＮ遅延データが表す時間の経過後に電源制御手段に出力する手段を持つ；請求項１に記載の、複数の機能装置に個別に給電する電源装置。
【請求項３】
前記電源制御手段は、過電流判定用の閾値データを保持するためのメモリ、および、前記スイッチ手段の出力電流値が該メモリの閾値データが表わすレベル以上になると過電流信号を発生する手段を持つ；請求項１又は２に記載の、複数の機能装置に個別に給電する電源装置。
【請求項４】
前記過電流を検出する手段は、前記スイッチ手段の出力電流値が設定値を超える過電流が設定時間継続したとき過電流信号を発生する；請求項１乃至３の何れか１つに記載の、複数の機能装置に個別に給電する電源装置。
【請求項５】
前記電源制御手段は、継続時間データを保持するためのメモリ、および、前記スイッチ手段の出力電流値が設定値以上になり該メモリの継続時間データが表す時間継続すると過電流信号を発生する手段を持つ；請求項４に記載の、複数の機能装置に個別に給電する電源装置。
【請求項６】
請求項１乃至５のいずれか１つに記載の電源装置を持つプリンタ；および、請求項１乃至５のいずれか１つに記載の電源装置を持つシステムコントローラ；を備える画像形成装置。
【発明の詳細な説明】
【技術分野】
【０００１】
本発明は、複数の機能装置（デバイス）で構成される電気機器，電子機器の電源装置に関し、特に、各機能装置に所定のシーケンスで個別に電源を投入する電源装置に関する。本発明の電源装置は例えば、プリンタ，原稿スキャナ，複写機，ファクシミリ，コンピュータ（例えばパソコン），コンピュータ内臓機器，コンピュータ接続機器に使用することができる。
【背景技術】
【０００２】
【特許文献１】特開平  ９−    ３４６１０号公報
【特許文献２】特開平  ９−  １１４５５５号公報
【特許文献３】特開２００４−１１０２０３号公報。
【０００３】
特許文献１には、ＰＣマザーボードのＰＣＩバスに、プリンタボードおよびスキャナボードの各内部ローカルバスをコネクタで接続するとともに、プリンタボードおよびスキャナの内部ローカルバス同士を、コネクタ２０８で接続して、プリンタボードおよびスキャナボード間専用のデータ送受はＰＣＩバスを介さないで行うＰＣＩシステムが記載されている。
【０００４】
特許文献２には、パーソナルコンピュータ，ワークステーション，サーバなどの情報処理装置に、給電装置に設けた電流電圧測定回路の他に、情報処理装置内各機能回路に供給する電流を個別に測定する電流測定回路を備えて電流を監視するとともに、電流分布を測定し、各機能回路を流れる電流の過電流維持用を判断して警告し、更に、追加された機能拡張基板への電流を監視して、給電ノイズの干渉が最小になるように、機能拡張基板の挿入位置を最適化する、給電管理装置が記載されている。
【０００５】
特許文献３には、ＰＣマザーボードのＣＰＵ５６が、ＰＣＩバスに接続された各デバイスに電源オン／オフ制御信号を与え、各デバイスはそのメモリに保持する遅延時間後にデバイス内電源をオン／オフする、ＰＣＩシステム内蔵のプリンタ装置を記載している。
【０００６】
従来より、高速バスの１つとしてＰＣＩバス（Peripheral Component Interconnect Bus）がある。このＰＣＩバスを用いたＰＣＩシステムでは、ＰＣＩコネクタによりＰＣマザーボードに拡張ボードなどを接続して通信を行うと共に、ＰＣマザーボ←ドからその拡張ボードなどへ電源を供給する。こうしたＰＣＩシステムを用いたものに、本出願人により先に出願された特許文献１がある。このものは、ＰＣＩシステムの拡張ボード間において、別ルートで内部ローカルバスを有することにより、ＰＣＩバス変換ＬＳＩによるデータの変換処理を省くものである。しかしながら、従来のＰＣＩバスでは、ＰＣマザーボードから接続された拡張ボードなどを制御したり電源をＯＮ（投入；給電）したりするに当たって、その接続された拡張ボードなど（制御対象システム）でのイニシヤライズ処理やエンド処理の時間には、信号により制御することができず、電源をＯＦＦ（遮断；給電停止）にすることも正常な処理には問題がある。このため、ＰＣマザーボードから信号により制御したり電源をＯＮ／ＯＦＦしたりするには、上記したイニシヤライズ処理やエンド処理の時間を計算しながら命令を保留する必要がある。
【０００７】
そこで本発明者は、ホストＣＰＵ，Ｉ／Ｏ，メモリ，ホストバス，ＰＣＩホストブリッジおよびＰＣＩバスが配置されたＰＣマザーボードに、Ｉ／Ｏおよび内部ローカルバスが配設された複数の拡張ボードを接続することが可能なＰＣＩシステムであって、前記ＰＣＩバスによる信号とは別に供給電源のＯＮ／ＯＦＦタイミングを制御する制御信号を設け、該制御信号を予め設定された任意の時間だけ遅延させる遅延手段を備えたことを特徴とするＰＣＩシステム、を提示した（特許文献３）。これによれば、供給電源のＯＮ／ＯＦＦタイミングを遅延させることにより、制御対象システムへのイニシャル処理およびエンド処理の時間に依存せず命令できることでＰＣＩシステムの制御が容易になる。
【発明の開示】
【発明が解決しようとする課題】
【０００８】
本発明は、該ＰＣＩシステムなど、複数の機能装置の組合せにかかる機能システム、に給電する電源装置の改良に関し、各機能装置の電源ＯＮ遅延制御とともに各機能装置の過負荷検出をも個別に行うことを第１目的とし、各機能装置個別の過負荷保護を第２の目的とする。
【課題を解決するための手段】
【０００９】
（１）機能装置に給電するスイッチ手段(331-335の33b)，該スイッチ手段のＯＮ（導通）を指示する電源ＯＮ指示信号を遅延する遅延手段(32)、および、前記スイッチ手段出力の過電流を検出する手段(33c-33i)を持ち前記遅延手段が遅延した電源ＯＮ指示信号に応答して前記スイッチ手段をＯＮにする電源制御手段(33)を含み、それぞれが各機能装置に給電する複数の個別給電装置(32,33／12,13／42,43／52,53)；および、
前記個別給電装置のそれぞれに、前記電源ＯＮ指示信号を与える電源投入制御手段(56)；を備える、複数の機能装置に個別に給電する電源装置。
【００１０】
なお、理解を容易にするために括弧内には、図面に示し後述する実施例の対応要素の符号を、例示として参考までに付記した。以下も同様である。
【発明の効果】
【００１１】
複数の個別給電装置の各電源制御手段(33)が、各スイッチ手段出力の過電流を検出するので、システム制御の介在なしに、機能装置個別に過負荷を認識できる。
【発明を実施するための最良の形態】
【００１２】
（２）前記遅延手段(32)は、電源ＯＮ遅延データを保持するためのメモリ(32a)、および、前記電源ＯＮ指示信号を、該メモリ(32a)の電源ＯＮ遅延データが表す時間の経過後に電源制御手段(33)に出力する手段(32b-32d)を持つ；上記（１）に記載の、複数の機能装置に個別に給電する電源装置。
【００１３】
（３）前記電源制御手段(33)は、過電流判定用の閾値データを保持するためのメモリ(33c)、および、前記スイッチ手段の出力電流値が該メモリ(33f)の閾値データが表わすレベル以上になると過電流信号を発生する手段(33d-33g)を持つ；上記（１）又は（２）に記載の、複数の機能装置に個別に給電する電源装置。
【００１４】
（４）前記過電流を検出する手段(33c-33i)は、前記スイッチ手段(331-335の33b)の出力電流値が設定値を超える過電流が設定時間継続したとき過電流信号（Ｑ＝Ｈ）を発生する；上記（１）乃至（３）の何れか１つに記載の、複数の機能装置に個別に給電する電源装置。
【００１５】
（５）前記電源制御手段(33)は、継続時間データを保持するためのメモリ(33c)、および、前記スイッチ手段の出力電流値が設定値以上になり該メモリ(33c)の継続時間データが表す時間継続すると過電流信号を発生する手段(33d-33g)を持つ；上記（４）に記載の、複数の機能装置に個別に給電する電源装置。
【００１６】
（５ａ）前記電源制御手段(33)は、前記過電流を検出する手段(33c-33i)の過電流検出に応答して前記スイッチ手段(331-335の33b)をＯＦＦに切換える；上記（１）乃至（５）のいずれか１つに記載の、複数の機能回路に個別に給電する電源装置。
【００１７】
（５ｂ）前記機能装置のそれぞれは、複数の機能回路を含み；前記スイッチ手段(331-335の33b)は、それぞれが各機能回路に給電する複数であり；前記過電流を検出する手段(33c-33i)もそれぞれが各スイッチ手段出力の過電流検出を検出する複数であり；前記電源制御手段(33)は、前記過電流を検出する手段(33c-33i)の過電流検出に応答して該過電流出力の前記スイッチ手段をＯＦＦに切換える；上記（１）乃至（５ａ）のいずれか１つに記載の、複数の機能回路に個別に給電する電源装置。
【００１８】
（５ｃ）ホストＣＰＵ、Ｉ／Ｏ，メモリ，ホストバス，ＰＣＩホストブリッジおよびＰＣＩバスが配置されたＰＣマザーボード(50)に、Ｉ／Ｏおよび内部ローカルバスが配設された複数の拡張ボード(30b,10b40b)を接続することが可能なＰＣＩシステムであって、前記ＰＣＩバスとは別に制御信号およびステータスの読み取り可能な信号を設け、遅延回路が構成されたＬＳＩ(32)と電源制御ＬＳＩ(33)を介し、供給電源のＯＮ／ＯＦＦタイミングを任意の時間だけ遅延可能とすると共に、ＰＣマザーボード(50)上のホストＣＰＵ(56)から、ＰＣＩバス(63)およびＰＣマザーボード(50)上のその他システムにおける制御電源のＯＮ／ＯＦＦタイミングを任意の時間だけ遅延可能としたＰＣＩシステムにおいて、供給電源の過電流検知を可能としたことを特徴とするＰＣＩシステム(図２)。
【００１９】
（５ｄ）Ｉ／Ｏおよび内部ローカルバスが配設された複数の拡張ボード(30b,10b,40b)の供給電源ＯＮ／ＯＦＦタイミングを任意の時間だけ遅延可能とすると共に、ＰＣマザーボード(50)上のホストＣＰＵ(56)から、ＰＣＩバス(63)およびＰＣマザーボード(50)上のその他システムにおける制御電源のＯＮ／ＯＦＦタイミングを任意の時間だけ遅延可能とし、かつ供給電源の過電流検知を可能とするＰＣＩシステムにおいて、
供給電源の供給開始時および供給中に所定以上の電流値を検知した場合、供給電源のＯＦＦ遅延時間設定値に関わらず供給電源を即時遮断可能とした電源制御を行うことを特徴とするＰＣＩシステム。
【００２０】
（５ｅ）供給電源の供給開始時および供給中に所定以上の電流値を所定以上の時間検知した場合、供給電源のＯＦＦ遅延時間設定値に関わらず供給電源を即時遮断可能とした電源制御を行うことを特徴とする、上記（５ｃ）又は（５ｄ）に記載のＰＣＩシステム。
【００２１】
（６）上記（１）乃至（５）のいずれか１つに記載の電源装置を持つプリンタ(30)；および、上記（１）乃至（５）のいずれか１つに記載の電源装置を持つシステムコントローラ(50)；を備える画像形成装置。
【００２２】
（６ａ）更に、請求項１乃至５のいずれか１つに記載の電源装置を持つスキャナ(10)；を備える上記（６）に記載の画像形成装置。
【００２３】
（６ｂ）更に、請求項１乃至５のいずれか１つに記載の電源装置を持つ操作ボード(40)；を備える上記（６ａ）に記載の画像形成装置。
【００２４】
本発明の他の目的および特徴は、図面を参照した以下の実施例の説明より明らかになろう。
【実施例１】
【００２５】
図１に、本発明の１実施例のフルカラーデジタル複合機能複写機ＭＦ１の外観を示す。このフルカラー複写機ＭＦ１は、大略で、カラースキャナ１０と、自動原稿送り装置（ＡＤＦ）２０と、カラープリンタ３０と、操作ボード４０の各ユニットで構成されている。なお、これらの、カラースキャナ１０，カラープリンタ３０および操作ボード４０は、図２に示すように、コネクタ接続でシステムコントローラ５０に接続されており、それぞれがシステムコントローラ５０から分離可能なユニットである。システムコントローラ５０の通信回路６１には、パソコンＰＣが接続したＬＡＮ(Local Area Network)が接続されており、ファクシミリコントロールユニット（ＦＣＵ）には、電話回線ＰＮ（ファクシミリ通信回線）に接続された交換器ＰＢＸが接続されている。
【００２６】
図２は、図１に示す複写装置の電気系統のシステム構成を示す。プリンタコントローラ３０ｂは、プリンタコントローラボード上にあり、プリンタエンジン３０ａを制御してプリンタ機能を実現するプリンタモジュールである。スキャナコントローラ１０ｂは、スキャナコントローラボード上にあり、スキャナ＆ＡＤＦエンジン１０ａを制御してスキャナ機能を実現するスキャナモジュールである。システムコントローラ５０はＰＣマザーボード上にあり、プリンタコントローラ３０ｂおよびスキャナコントローラ１０ｂを制御して、スキャナ機能，プリンタ機能，コピー機能，ファクシミリ機能等を実現するためのコンピュータモジュールである。操作ボードコントローラ４０ｂは、操作ボード４０に対してユーザが入力するための操作キーおよびボタンならびに、操作入力を促す画面の表示，操作入力に応答する表示および機内状態表示を行う液晶タッチパネルを含む操作ボードパネルのキーイン読み取りおよび表示出力を制御してユーザインターフェイス機能を実現するモジュールである。
【００２７】
尚、機能装置である、プリンタコントローラ３０ｂ，スキャナコントローラ１０ｂおよび操作ボードコントローラ４０ｂはそれぞれ、コネクタを介して、やはり機能装置であるシステムコントローラ５０に接続されている。
【００２８】
プリンタコントローラ３０ｂは、プリンタエンジン３０ａとの間でデータのやり取りを行うためのＡＳＩＣ３５と、プリンタ機能の制御を行うためのＣＰＵ３６，メモリ３８およびＩ／Ｏ３７と、ＡＩＳＣバスからなる内部ローカルバス３１と、内部ローカルバス３１を後述するＰＣＩバス６３に接続するためのＰＣＩバス変換ＬＳＩ３４と、後述するＰＣマザーボード上のシステムコントローラ５０のホスト用ＣＰＵ５６からの制御によって、機能回路である上記ＰＣＩバス変換ＬＳＩ３４〜メモリ３８それぞれへの給電を制御する遅延制御用ＬＳＩ３２および電源制御用ＬＳＩ３３とを備えている。また、図示を省略したが、必要に応じてＬＡＮや電話回線と接続するためのＮＩＣ等のインターフェース、ＨＤＤ等の拡張メモリが設けられ、これらにへの給電も同様に、遅延制御用ＬＳＩ３２と電源制御用ＬＳＩ３３により制御される。
【００２９】
スキャナコントローラ１０ｂは、スキャナエンジン１０ａとの間でデータのやり取りを行うためのＡＳＩＣ１５と、プリンタ側からスキャナ機能を実現するためのＩ／Ｏ１７と、ＡＩＳＣバスからなる内部ローカルバス１１と、内部ローカルバス１１を後述するＰＣＩバス６３に接続するためのＰＣＩバス変換ＬＳＩ１４と、後述するＰＣマザーボード上のホスト用ＣＰＵ５６からの制御によって、機能回路である上記ＰＣＩバス制御ＬＳＩ１４，ＡＳＩＣ１５，Ｉ／Ｏ１７への給電を制御する遅延制御用ＬＳＩ１２と電源制御用ＬＳＩ１３とを備えている。また、図示は省略したが、必要に応じてＣＰＵやＨＤＤ等の拡張メモリを設けることができ、これらへの給電も同様に、遅延制御用ＬＳＩ１２と電源制御用ＬＳＩ１３により制御する。
【００３０】
ＰＣマザーボード上のシステムコントローラ５０は、汎用のＰＣＩバス６３とホストバスである内部ローカルバス５１と、ＰＣＩバス６３と内部ローカルバス５１とを接続するＰＣＩホストブリッジ５９と、内部ローカルバス５１に接続されたホスト用ＣＰＵ５６，メモリ５８と、ＰＣＩバス６３に接続されたＨＤＤ６０と、Ｉ／Ｏ５７と、ホスト用ＣＰＵ５６からの制御によって、各機能回路５４，５５，５７〜６２への給電を制御する遅延制御用ＬＳＩ５２と電源制御用ＬＳＩ５３を備えている。
【００３１】
図３に、遅延制御用ＬＳＩ３２と電源制御用ＬＳＩ３３の機能構成を示す。なお、他の遅延制御用ＬＳＩ１２，４２および５２の機能構成は、遅延制御用ＬＳＩ３２と同様であり、他の電源制御用ＬＳＩ１３，４３および５３野機能構成は、電源制御用ＬＳＩ３３と同様である。
【００３２】
まず概要を説明すると、遅延制御用ＬＳＩ３２には不揮発メモリ３２ａがある。ホスト用ＣＰＵ５６からの電源制御信号が遅延制御用ＬＳＩ３２に入力され、内部ローカルバス３１から不揮発メモリ３２ａに予め設定した遅延時間だけ信号の変化を遅らせた後、次段の電源制御用ＬＳＩ３３へ電源制御信号を出力する。電源制御用ＬＳＩ３３に入力された制御信号の状態変化により、供給電源５Ｖを各機能回路３４〜３８にＯＮ（給電）／ＯＦＦ（停止）させることで、各機能回路３４〜３８への給電を制御する。また、遅延制御ＬＳＩ３２から電源制御ＬＳＩ３３への電源制御状態信号（フリップフロップ３２ｄのＱ出力）をモニタすることで、機能装置３０ｂ（プリンタ３０）の電源ＯＮ／ＯＦＦを確認することが可能である。また、内部ローカルバス３１から不揮発メモリ３３ｃに予め設定した過電流検出用の閾値データと継続時間データに基づき、給電保護回路３３１〜３３５が、各機能回路の過電流検知を行う。給電保護回路３３１〜３３５が過電流を検出すると、スイッチ回路３３ｂをＯＦＦ（非導通）にして、過電流を検出した機能回路への給電を遮断する。
【００３３】
次に詳細に説明すると、遅延制御ＬＳＩ３２の、不揮発メモリ３２ａには、機能装置３０ｂ（プリンタ３０）宛ての電源ＯＮ遅延データおよび電源ＯＦＦ遅延データが格納されている。クロック発生器３２が定周波数のクロックパルスを発生して、プリセットカウンタ３２ｃ，３２ｅのカウントパルス入力端に与える。電源ＯＮ遅延データはカウンタ３２ｃのプリセットデータ入力端に、電源ＯＦＦ遅延データはカウンタ３２ｅのプリセットデータ入力端に、それぞれ与えられる。ＣＰＵ５６が与える電源制御信号（Ｈ：ＯＮ指示／Ｌ：ＯＦＦ指示）は、プリセットカウンタ３２ｃのクリア入力端（Ｌ：クリア）にそのまま、プリセットカウンタ３２ｅのクリア入力端には２値レベルを反転して、与えられる。
【００３４】
ＣＰＵ５６が与える電源制御信号が、電源ＯＮを指示するレベルＨになると、そのＬからＨへの立上りに応答してカウンタ３２ｃが、そのとき与えられている電源ＯＮ遅延データをプリセット（ロード）して、該データが表す値から、クロック発生器３２ｂが与えるクロックパルス（以下では単にクロックという）の到来数のカウントダウンを開始する。そして残値が０になると、すなわち、電源ＯＮ遅延データが表す数のクロックをカウントすると、カウントオーバ信号を発生し、これによりフリップフロップ３２ｄがセットされて、そのＱ出力が、電源ＯＮを指示するＨに立上り、電源制御ＬＳＩ３３のアンドゲート３３ａ（図示例は５個）に、電源ＯＮ指示信号として与えられる。
【００３５】
その後、ＣＰＵ５６が与える電源制御信号が、電源ＯＦＦを指示するレベルＬに立下がると、その立下りに応答してカウンタ３２ｅがＯＦＦ遅延データをプリセットして、該ＯＦＦ遅延データが表す値から、クロック発生器３２ｂが与えるクロックパルス（以下では単にクロックという）の到来数のカウントダウンを開始する。そして残値が０になると、すなわち、電源ＯＦＦ遅延データが表す数のクロックをカウントすると、カウントオーバ信号を発生し、これによりフリップフロップ３２ｄがリセットされて、そのＱ出力が、電源ＯＮを指示するＨから、電源ＯＦＦを指示するＬに立下り、電源制御ＬＳＩ３３のアンドゲート３３ａに与えられている、電源ＯＮ指示信号（Ｈ）が消える。すなわち電源ＯＦＦ指示信号（Ｌ）に切換わる。
【００３６】
プリンタコントローラ３０ｂのＰＣＩバス制御ＬＳＩ３４に給電する給電保護回路３３１のスイッチ回路３３ｂは、アンドゲート３３ａの出力がＨ（電源ＯＮ指示信号）であるとＯＮして、５Ｖの制御電源電圧を、機能回路であるＰＣＩバス制御バスＬＳＩ３４に出力する。すなわち制御動作電力を給電する。アンドゲート３３ａの出力がＬ（電源ＯＦＦ指示信号）になるとＯＦＦして、５Ｖの制御電源電圧の、機能回路であるＰＣＩバス制御バスＬＳＩ３４に対する出力を停止する。すなわち制御動作電力を遮断する。
【００３７】
なお、アンドゲート３３ａに与えられる電源制御信号が電源ＯＦＦ指示信号Ｌから電源ＯＮ指示信号Ｈに切換わる立上がりでフリップフロップ３３ｉがリセットされてそのＱバー（オーバライン付きのＱ）出力がＬからＨに立ち上がってアンドゲート３３ａに印加されるので、電源制御信号が電源ＯＦＦ指示信号Ｌから電源ＯＮ指示信号Ｈに切換わると、該電源ＯＮ指示信号Ｈがアンドゲート３３ａを通してスイッチ回路３３ｂに加わる。フリップフロップ３３ｉをリセットすると、そのＱバー出力がＬとなってアンドゲート３３ａを閉じるので、アンドゲート３３ａの出力がＬに変化し、これに応答してスイッチ回路３３ｂがＰＣＩバス制御バスＬＳＩ３４への５Ｖ電圧を遮断する。ＰＣＩバス制御バスＬＳＩ３４に流れる電流値が過大になったときに、過電流検出回路３３ｄ〜３３ｈがこれを検出して、フリップフロップ３３ｉをセットするので、過電流検出時に、上述のアンドゲート３３ａを閉じてＰＣＩバス制御バスＬＳＩ３４への５Ｖ電圧を遮断する保護動作が行われる。
【００３８】
すなわち、機能回路であるＰＣＩバス制御ＬＳＩ３４の電流すなわち負荷電流値に比例する電圧（電流検出信号）を電流検出抵抗３３ｄが発生し、比較器３３ｇの正相入力端（＋）に印加する。一方、不揮発メモリ３３ｃにある、ＰＣＩバス制御ＬＳＩ３４宛ての過電流検出用の閾値データがＤ／Ａコンバータ３３ｆに与えら、該コンバータ３３ｆが閾値データをアナログ電圧（閾値信号）に変換して比較器３３ｇの逆相入力端（−）に印加する。比較器３３ｇは、電流検出信号が閾値信号以上のレベルであるとＨ（過電流）、閾値信号未満のレベルであるとＬ（正常電流値）の判定信号を、プリセットカウンタ３３ｇに出力する。プリセットカウンタ３３ｇは、判定信号がＬ（正常電流値：クリア指示）からＨ（過電流：カウント指示）に立上がるとき、不揮発メモリ３３ｃにある、ＰＣＩバス制御ＬＳＩ３４宛ての過電流検出用の継続時間データをプリセットして、クロック発生器３２ｂが与えるクロックの到来数のカウントダウンを開始する。そして残値が０になると、すなわち、継続時間データが表す数のクロックをカウントすると、カウントオーバ信号を発生し、これにより前述のフリップフロップ３３ｆがリセットされて、そのＱ出力が、ゲートＯＮを指示するＨから、ゲートＯＦＦを指示するＬに立下り、アンドゲート３３ａの出力がＬに切換り、スイッチ回路３３ｂがＯＦＦになる。すなわち、過負荷に応答して給電を遮断する。ただし、プリセットカウンタ３３ｇが継続時間データ相当のクロックをカウントオーバするまでに、判定信号がＨ（過電流：カウント指示）からＬ（正常電流値：クリア指示）にに立下がると、該Ｌによってカウンタ３３ｇがクリア（初期化）されるので、カウントオーバ信号（過電流検出）を出力しないので、フリップフロップ３３ｉのＱ出力はＬ（過負荷検出なし）に留まり、スイッチ回路３３ｂはＯＦＦに転じない。
【００３９】
なお、他の機能回路３５〜３８に個別に給電する他の給電保護回路３３２〜３３５の機能構成も、上述の給電保護回路３３１と同様である。すべての給電保護回路３３１〜３３５の過電流検出信号（３３ｉの出力Ｈ）は、オアゲート３３ｊを通して、また遅延制御ＬＳＩ３２を通してＣＰＵ５６に与えられる。電源ＯＮ／ＯＦＦ状態信号（３２ｄの出力）も、遅延制御ＬＳＩ３２を通してＣＰＵ５６に与えられる。
【図面の簡単な説明】
【００４０】
【図１】本発明の１実施例の複合機能フルカラー複写機ＭＦ１の外観を示す正面図である。
【図２】図１に示す複写機ＭＦ１の電気系統のシステム構成の概要を示すブロック図である。
【図３】図２に示す遅延制御ＬＳＩ３２および電源制御ＬＳＩ３３の機能構成の概要を示すブロック図である。
【図１】
2006252175.tif 000003
【図２】
2006252175.tif 000004
【図３】
2006252175.tif 000005